(57)【要約】【課題】通信回線確認装置において、通信回線に影響を与えることなく通信状態が確認でき、かつ、電池を不要として小型化する。【解決手段】通信回線確認装置１において、インピーダンスの高低を切り替えるインピーダンス切替回路３１、通信回線から電力を取得する電力取得回路３２、通信回線からの信号を増幅する増幅回路３３、増幅回路３３からの信号を出力するイヤホン１３１、使用者の音声が入力されるマイク１３２、および、マイク１３２からの信号を増幅する増幅回路３５を設ける。通信回線の確認が行われる場合には、インピーダンス切替回路３１がハイインピーダンスに設定され、通信回線に影響を与えることなく信号が取得される。通信回線確認装置１では動作時において電力取得回路３２にて取得された電力のみが利用されることから電池を設ける必要がなく、小型化が実現される。【選択図】図２
0003102201.tif 000002
【実用新案登録請求の範囲】
【請求項１】
通信回線を確認する際に使用される通信回線確認装置であって、
通信回線に接続される回線接続部と、
前記通信回線を伝わる信号を維持しつつ前記回線接続部を介して前記信号を取得する信号取得回路と、
前記回線接続部を介して前記通信回線から電力を取得する電力取得回路と、
前記信号取得回路にて取得された信号を増幅する増幅回路と、
外部イヤホンと前記増幅回路とを接続するイヤホン接続部と、
を備え、
前記通信回線の確認動作時に前記電力取得回路にて取得された電力のみが利用されることを特徴とする通信回線確認装置。
【請求項２】
請求項１に記載の通信回線確認装置であって、
マグネティックイヤホンを前記外部イヤホンとしてさらに備えることを特徴とする通信回線確認装置。
【請求項３】
請求項１または２に記載の通信回線確認装置であって、
外部マイクが接続されるマイク接続部と、
前記マイク接続部を介して前記外部マイクに接続され、前記外部マイクからの信号を増幅するもう１つの増幅回路と、
前記信号取得回路のインピーダンスの高低を切り替える切替スイッチと、
をさらに備え、
前記もう１つの増幅回路にて前記外部マイクからの信号が増幅される際に、前記切替スイッチにより前記信号取得回路のインピーダンスが低く設定され、前記もう１つの増幅回路からの信号が前記信号取得回路およびを前記回線接続部を介して前記通信回線に送出されることを特徴とする通信回線確認装置。
【請求項４】
請求項３に記載の通信回線確認装置であって、
コンデンサマイクを前記外部マイクとしてさらに備えることを特徴とする通信回線確認装置。
【請求項５】
請求項３または４に記載の通信回線確認装置であって、
前記イヤホン接続部および前記マイク接続部が、穴径２．５ｍｍのイヤホンマイクジャックとして設けられることを特徴とする通信回線確認装置。
【請求項６】
請求項１ないし５のいずれかに記載の通信回線確認装置であって、
使用者の身体または衣服に装着する装着手段をさらに備えることを特徴とする通信回線確認装置。
【請求項７】
請求項１ないし６のいずれかに記載の通信回線確認装置であって、
外装ケースをさらに備え、
前記外装ケース内の回路基板に撥水剤が塗布されていることを特徴とする通信回線確認装置。
【請求項８】
請求項１ないし７のいずれかに記載の通信回線確認装置であって、
前記通信回線にＡＤＳＬ回線が含まれることを特徴とする通信回線確認装置。
【考案の詳細な説明】
【技術分野】
【０００１】
本考案は、通信回線の使用状態や接続状態を確認する際に使用される通信回線確認装置に関する。
【背景技術】
【０００２】
従来より、電話局と家庭の電話回線との接続状態、屋外と屋内との電話回線の接続状態、あるいは、屋内の配線状態等を確認するために、電話回線に接続して信号の状態をを確認したり、アナログ信号による通話を行うための「ブレスト」と呼ばれる通信回線確認装置が使用されている。
【０００３】
例えば、特許文献１では、端末機よりも十分高い抵抗値を持つ抵抗器を介して電話回線からの信号を増幅器に入力して増幅し、増幅された信号をクリスタルイヤホンから出力することにより、電話回線が使用中であっても電話回線に影響を与えることなく音声を聴くことができる装置が開示されている。また、特許文献２および３では、作業者の頭部に掛けるタイプの送受器が開示されている。
【特許文献１】特開平１０−１６４２０７号公報
【特許文献２】実開平３−３６２４７号公報
【特許文献３】実開昭６１−９７２５６号公報
【考案の開示】
【考案が解決しようとする課題】
【０００４】
特許文献３に記載の装置では、電話回線から電子回路の駆動に使用される電力が取得されるようになっている。この装置は基本的には通常の電話機と同様の構造であり、電話回線に接続した際の電話回線への影響を考慮した回路構造ではなく、使用中の電話回線に接続されると混線等の影響が出てしまう。これに対し、特許文献１では抵抗器を用いることにより使用中の電話回線に接続した場合であっても電話回線に影響を与えない工夫がなされている。
【０００５】
ところで、従来より電話回線を確認する際に使用される装置は専用の装置として開発され、電話回線の確認のみならず様々な機能が付加されている。その結果、特許文献１や特許文献２に例示されるように通常は装置内の専用の回路に適した電力を得るために電池が設けられ、装置自体がある程度大きくならざるを得なかった。その一方で、通信回線確認装置は、作業者により様々な場面で頻繁に使用されることから、衣服のポケットに容易には収納できない大きさであったり電池の消耗により動作しなくなるものは好ましいとはいえない。
【０００６】
本考案は上記課題に鑑みなされたものであり、電池を不要として小型化が可能な通信回線確認装置を提供することを主たる目的としている。
【課題を解決するための手段】
【０００７】
請求項１に記載の発明は、通信回線を確認する際に使用される通信回線確認装置であって、通信回線に接続される回線接続部と、前記通信回線を伝わる信号を維持しつつ前記回線接続部を介して前記信号を取得する信号取得回路と、前記回線接続部を介して前記通信回線から電力を取得する電力取得回路と、前記信号取得回路にて取得された信号を増幅する増幅回路と、外部イヤホンと前記増幅回路とを接続するイヤホン接続部とを備え、前記通信回線の確認動作時に前記電力取得回路にて取得された電力のみが利用される。
【０００８】
請求項２に記載の発明は、請求項１に記載の通信回線確認装置であって、マグネティックイヤホンを前記外部イヤホンとしてさらに備える。
【０００９】
請求項３に記載の発明は、請求項１または２に記載の通信回線確認装置であって、外部マイクが接続されるマイク接続部と、前記マイク接続部を介して前記外部マイクに接続され、前記外部マイクからの信号を増幅するもう１つの増幅回路と、前記信号取得回路のインピーダンスの高低を切り替える切替スイッチとをさらに備え、前記もう１つの増幅回路にて前記外部マイクからの信号が増幅される際に、前記切替スイッチにより前記信号取得回路のインピーダンスが低く設定され、前記もう１つの増幅回路からの信号が前記信号取得回路およびを前記回線接続部を介して前記通信回線に送出される。
【００１０】
請求項４に記載の発明は、請求項３に記載の通信回線確認装置であって、コンデンサマイクを前記外部マイクとしてさらに備える。
【００１１】
請求項５に記載の発明は、請求項３または４に記載の通信回線確認装置であって、前記イヤホン接続部および前記マイク接続部が、穴径２．５ｍｍのイヤホンマイクジャックとして設けられる。
【００１２】
請求項６に記載の発明は、請求項１ないし５のいずれかに記載の通信回線確認装置であって、使用者の身体または衣服に装着する装着手段をさらに備える。
【００１３】
請求項７に記載の発明は、請求項１ないし６のいずれかに記載の通信回線確認装置であって、外装ケースをさらに備え、前記外装ケース内の回路基板に撥水剤が塗布されている。
【００１４】
請求項８に記載の発明は、請求項１ないし７のいずれかに記載の通信回線確認装置であって、前記通信回線にＡＤＳＬ回線が含まれる。
【考案の効果】
【００１５】
本考案によれば、外部イヤホンへの信号の増幅のために電池が利用されないため、通信回線確認装置に電池を設けることを不要とすることができ、小型化を行うことができる。
【００１６】
また、請求項２の考案では、マグネティックイヤホンであっても使用することができ、請求項３の考案では、電池を利用することなく外部マイクからの信号を増幅することができ、請求項４の考案では、コンデンサマイクであっても使用することができる。また、請求項５の考案では、市販の携帯電話用のイヤホンマイクを使用することが可能となり、通信回線確認装置の価格を低く抑えることができる。
【００１７】
また、請求項６の考案では、装置の小型化に合わせて持ち運びをさらに容易とすることができ、請求項７の考案では、様々な使用環境にて使用することができる。
【考案を実施するための最良の形態】
【００１８】
図１は本考案に係る通信回線確認装置１の外観を示す図である。通信回線確認装置１は、例えば、電話機の設置の際に電話回線（データ通信専用の他の種類の通信回線であってもよく、以下、「通信回線」という。）の通信状態や接続状態等を確認するために使用される装置であり、外装ケース１１に覆われた本体部１０、通信回線に接続される２つの回線接続端子１２、イヤホン１３１およびマイク１３２を有するイヤホンマイク１３、並びに、回線工事の作業者である使用者の衣服に取り付けるための取付リング１４を備える。
【００１９】
２つの回線接続端子１２は先端が通信回線を挟むクリップとなっている。イヤホンマイク１３は携帯電話機に使用される市販のものであり、携帯電話と共に携帯されているイヤホンマイクがそのまま流用されてもよい。イヤホンマイク１３は、具体的には、イヤホン１３１がマグネチックイヤホンであり、マイク１３２がコンデンサマイクであり、本体部１０との接続は、直径２．５ｍｍのステレオピンプラグをイヤホンとマイクの共用プラグとして利用するプラグ１３３により行われる。
【００２０】
外装ケース１１はプラスチック製のケースであり、幅３０ｍｍ、高さ５０ｍｍ、奥行き２０ｍｍであり、衣服のポケット等に容易に収納できるように本体部１０は非常に小型化および軽量化されている。取付リング１４は使用者の首や腕から垂下される紐が取り付けられたり、使用者の衣服の取付部に直接またはクリップ付きのストラップを介する等して間接的に取り付けられる。
【００２１】
外装ケース１１内には、電子回路が形成された回路基板２１が設けられ、回路基板２１上には受話モードと送話モードとを切り替えるモード切替スイッチ２２およびイヤホンマイク１３のプラグ１３３に接続される穴径２．５ｍｍのイヤホンマイクジャック２３が取り付けられる。回路基板２１には、フッ素系の合成樹脂、顔料、撥水剤、有機溶剤等を成分とする撥水性の結露防止剤がスプレーにより直接塗布されており、屋外の様々な使用環境でも使用可能なように生活防水が施されている。なお、少なくとも撥水剤を含む材料であれば、防水剤等の他の材料が塗布されてもよい。
【００２２】
図２は通信回線確認装置１の回路構成を示す図であり、図２中のインピーダンス切替回路３１、電力取得回路３２、２つの増幅回路３３，３５、マイクスイッチ３４、および、側音合成回路３６が回路基板２１上に形成された回路である。図１中のモード切替スイッチ２２はインピーダンス切替回路３１の一部であり、マイクスイッチ３４はモード切替スイッチ２２と連動している。図１に示すイヤホンマイクジャック２３は、イヤホン１３１と増幅回路３３とを接続する本体部１０側の接続部およびマイク１３２と増幅回路３５とを接続する本体部１０側の接続部となっており、プラグ１３３はイヤホンマイク１３側の両接続部となっている。図２中の実線は電力の流れを示し、破線は信号の流れを示す（それぞれ１本の線にて簡略して示している。）。なお、回線接続端子１２とインピーダンス切替回路３１との間、および、インピーダンス切替回路３１と電力取得回路３２との間では電力と信号とが同一の配線にて伝送される。
【００２３】
回線接続端子１２に電気的に接続されるインピーダンス切替回路３１は、モード切替スイッチ２２が受話モードの場合に、通信回線が落ちたり、ノイズが混入しない程度にハイインピーダンスに設定され、これにより、インピーダンス切替回路３１は使用中の通信回線を伝わる信号を維持しつつ回線接続端子１２を介して信号を取得する回路としての役割を果たす。送話モードの場合には、後述するようにマイク１３２から入力された使用者の音声信号が回線接続端子１２を介して通信回線に送出される程度にインピーダンス切替回路３１がローインピーダンスに設定される。
【００２４】
電力取得回路３２は、整流ダイオードを利用することにより、回線接続端子１２およびインピーダンス切替回路３１を介して通信回線から電力を取得する。電力取得回路３２にて取得された電力は２つの増幅回路３３，３５の電力として利用される。すなわち、通信回線確認装置１では、局側の４８Ｖ電源が利用される。
【００２５】
通信回線からの信号は、インピーダンス切替回路３１および電力取得回路３２を経由して増幅回路３３に入力され、増幅回路３３にて増幅されて外部のイヤホン１３１から出力される。信号が増幅回路３３にて増幅されることにより、イヤホン１３１がマグネティックイヤホンであっても安定して出力することが可能とされる。通信回線の種類にはアナログ回線、並びに、ＩＳＤＮ(Integrated Services Digital Network)回線、ＡＤＳＬ(Asymmetric Digital Sub scriber Line access system)回線等のデジタル回線が含まれ、アナログ回線の場合は通話内容がイヤホン１３１から出力され、デジタル回線の場合にはデジタル信号音が出力される。なお、受話モードにおいて、インピーダンス切替回路３１はいずれのタイプの回線であっても回線が落ちない程度に十分に高いインピーダンスとされる。
【００２６】
外部のマイク１３２はマイクスイッチ３４を介して増幅回路３５に接続され、モード切替スイッチ２２により送話モードとされる場合にはマイクスイッチ３４がＯＮとされ、インピーダンス切替回路３１がローインピーダンスに設定される。その結果、マイク１３２からの使用者の音声信号が増幅回路３５に入力されて増幅される際に、増幅された信号が、電力取得回路３２、インピーダンス切替回路３１、および、回線接続端子１２を経由して通信回線へと送出される。送話モードは通信回線がアナログ回線の場合にのみ使用され、例えば、回線交換機側と家庭の通信回線末端側との双方において通信回線確認装置１を接続することにより、２つの通信回線確認装置１の間で通話が可能となる。
【００２７】
送話モードにおいても通信回線からの信号が増幅回路３３を経由してイヤホン１３１から出力されるようになっている。一方、増幅回路３５からの出力は側音合成回路３６にも入力され、側音が増幅回路３３に入力されて合成される。これにより、送話モードにおける送受話時に通常の電話機と同様に側音が使用者の耳に入力され、自然な会話が可能となる。
【００２８】
以上のように、通信回線確認装置１では、通信回線の確認動作時において、通信回線から電力取得回路３２により取得された電力のみが利用されることから、本体部１０に電池を設ける必要がなく、本体部１０の小型化および軽量化が実現される。特に、通信回線の電力を利用してイヤホン１３１への信号の増幅およびマイク１３２からの信号の増幅が電池を利用することなく行われることにより、本体部１０の小型化および軽量化を実現しつつイヤホン１３１からの出力を良好なものとし、マイク１３２を用いた良好な通話も可能とすることができる。また、受話モードにおけるインピーダンス切替回路３１をＡＤＳＬ回線に対して影響を与えない程度までハイインピーダンスとすることにより、使用中のＡＤＳＬ回線であってもそのまま確認作業を行うことができる。
【００２９】
なお、従来の通信回線確認装置では多機能化に伴い電源として電池が不可欠とされるが、本考案に係る通信回線確認装置１では機能を必要最小限に限定することにより、電力取得回路３２により取得された電力のみによる動作を実現している。
【００３０】
また、通信回線確認装置１は取付リング１４を介して使用者の身体や衣服に装着されることにより、装置の小型化に合わせて持ち運びをさらに容易とすることができる。
【００３１】
以上、本考案の実施の形態について説明してきたが、本考案は上記実施の形態に限定されるものではなく、様々な変形が可能である。
【００３２】
図２に示す回路構成をは一例に過ぎず、実質的に同様の機能が実現されるのであれば、回路構成は適宜変更されてよい。例えば、インピーダンス切替回路３１の機能は、ハイインピーダンスの回路とローインピーダンスの回路とが個別に用意されてこれらの回路を切り替えることにより実現されてもよく、各種信号は電力取得回路３２を経由することなく回線接続端子１２から増幅回路３３へと、あるいは、増幅回路３５から回線接続端子１２へと伝達されてもよい。
【００３３】
イヤホン１３１およびマイク１３２は、上記実施の形態に例示したものには限定されないが、上記のように市販のイヤホンマイクを利用可能とすることにより、特に、増幅回路３３によりマグネティックイヤホンであっても使用できるように増幅することにより、通信回線確認装置１の価格を低く抑えることができる。
【００３４】
取付リング１４は、使用者の身体または衣服に装着するための構造の一例に過ぎず、例えば、クリップ、フック、留めボタン等の他のものが設けられてもよい。外装ケース１１の形状も直方体には限定されず、楕円状等のデザイン性を考慮した形状とされてもよい。
【図面の簡単な説明】
【００３５】
【図１】通信回線確認装置の外観を示す図である。
【図２】通信回線確認装置の回路構成を示す図である。
【符号の説明】
【００３６】
１    通信回線確認装置
１２    回線接続端子
１１    外装ケース
１４    取付リング
２１    回路基板
２２    モード切替スイッチ
３１    インピーダンス切替回路
３２    電力取得回路
３３，３５    増幅回路
１３１    イヤホン
１３２    マイク
１３３    イヤホンマイクジャック
【図１】
0003102201.tif 000003
【図２】
0003102201.tif 000004